(57)【要約】【課題】  絵具、布、紙その他、画像形成用素材は多様な方が良い。多様であれば、制作される美術作品等も多様化し、それから感得される美感も多様化する。本発明は、このような素材の多様化に寄与することを目的とする。【解決手段】廃棄されたプラスチック材１Ｙ，１Ｇ，１Ｏが例えば３ｍｍ角等に細分され小片３（Ｙ，Ｇ，Ｏ）の集合とされる。各小片３は種々の色を有し、これら種々の色は前記廃棄されたプラスチック材が元々有する色であったり、細分の前後に着色されたものである。これらを画用紙に貼着等して絵画を制作する。廃棄されたプラスチック材を溶融してシートにし、これを鋏等で切断して小片としても良い。シートと鋏、教科書をセットにするのも良い。【選択図】図１
2010131921.tif 000002
【特許請求の範囲】
【請求項１】
廃棄されたプラスチック材が細分されて成る小片の集合であり、
該各小片は種々の色を有し、
該種々の色は前記廃棄されたプラスチック材が元々有する色又は細分の前後に着色されたものである
ことを特徴とする画像形成用素材。
【請求項２】
廃棄されたプラスチック材が再生されて成るシートの集合であり、
該各シートは種々の色を有し、
該種々の色は前記廃棄されたプラスチック材が元々有する色又は前記再生の前後に着色されたものである
ことを特徴とする画像形成用素材。
【請求項３】
廃棄されたプラスチック材が再生されて成るシートの集合と、鋏と、教科書とを備え、
前記各シートは種々の色を有し、
該種々の色は前記廃棄されたプラスチック材が元々有する色又は前記再生の前後に着色されたものである
ことを特徴とする描画セット。
【発明の詳細な説明】
【技術分野】
【０００１】
本発明は画像形成用素材及び描画セットに関する。特に、貼り絵を制作するのに好適な画像形成用素材及び描画セットに関する。
【背景技術】
【０００２】
画像形成用素材、即ち画用紙やキャンバス、その他の物品等に、画像や文字、線等を描く為の素材は、従来、種々提案されている。例えば、水彩絵具、油絵具などの捺染用素材や、染料などの染色用素材がある。又、布、紙、押花のような貼着用素材もある。特許文献では、例えば下記のものがある。
【特許文献１】特開２００１−１４６５７４号公報
【発明の開示】
【発明が解決しようとする課題】
【０００３】
画像形成用素材は、多様な方が良い。多様であれば、それらを用いて制作される美術作品等も多様化し、それから感得される美感も多様化して、文化が多彩になるからである。
【課題を解決するための手段】
【０００４】
本発明の目的は、このような画像形成用素材の多様化に資することにあり、請求項１の画像形成用素材は、廃棄されたプラスチック材が細分されて成る小片の集合であり、該各小片は種々の色を有し、該種々の色は前記廃棄されるべきプラスチック材が元々有する色又は細分の前後に着色されたものである。
【０００５】
また、請求項２の画像形成用素材は、廃棄されたプラスチック材が再生されて成るシートの集合であり、該各シートは種々の色を有し、該種々の色は前記廃棄されたプラスチック材が元々有する色又は前記再生の前後に着色されたものである。
【０００６】
また、請求項３の描画セットは、廃棄されたプラスチック材が再生されて成るシートの集合と、鋏と、教科書とを備え、前記各シートは種々の色を有し、該種々の色は前記廃棄されたプラスチック材が元々有する色又は前記再生の前後に着色されたものである。
【発明の効果】
【０００７】
廃棄されたプラスチック材が細分されて成る各小片は、そのプラスチック材が元々有する色又は細分の前後に着けられた種々の色を有する（請求項１）。従って、例えばこれら種々の色の小片を画用紙やキャンバスに貼り、画像を形成するなどすれば、新たな質感、美感等を与える絵画等が制作できる。資源の有効利用にもなる。
【０００８】
また、廃棄されたプラスチック材が再生されて成るシートは、そのプラスチック材が元々有する色又は細分の前後に着けられた種々の色を有する（請求項２）。従って、例えばこれら各シートを鋏等で適宜切断し、それら種々の色の小片を画用紙やキャンバスに貼って画像を形成するなどすれば、新たな質感、美感等を与える絵画等が制作できる。資源の有効利用にもなる。
【０００９】
また、廃棄されたプラスチック材が再生されて成るシートは、そのプラスチック材が元々有する色又は細分の前後に着けられた種々の色を有する。また、これらシートに、鋏と教科書が添付されている（請求項３）。従って、例えばこれら各シートを鋏等で適宜切断して種々の色の小片を生成し、教科書に示されているお手本や制作手順等を参照して、それら種々の色の小片を画用紙やキャンバスに貼り画像を形成するなどすれば、入門者でも、新たな質感、美感等を与える絵画等を容易に制作できる。資源の有効利用にもなる。
【発明を実施するための最良の形態】
【００１０】
以下、本発明の詳細を図１に示す実施の形態例に基いて説明する。図１に於て、１Ｙ，１Ｇ，１Ｏは、廃棄されたＰＥＴボトルであり、例えばＰＥＴボトル１Ｙは元々黄色（Ｙ）に着色されている。又、ＰＥＴボトル１Ｇは元々緑色（Ｇ）に、ＰＥＴボトル１Ｏは元々橙色（Ｏ）に着色されている。なお、ＰＥＴとは、ポリエチレンテレフタレートの意である。
【００１１】
これら廃棄されたＰＥＴボトル１Ｙ，１Ｇ，１Ｏは切断機２に供給され、黄色，緑色，橙色の各小片３Ｙ，３Ｇ，３Ｏに細分される。小片の大きさ、形は任意であり、例えば３ｍｍ角などとする。大きさは同じであっても良く、不揃いであっても良い。大小が混在しても良い。形も同じであっても良く、不揃いな形でも良い。何種類かの形状が混在していても良い。何れも趣がある。
【００１２】
なお、切断機２は勿論１台で良い。それを夫々のＰＥＴボトル１Ｙ，１Ｇ，１Ｏの細分化に使う。また、色数は例示した三色だけでなく、ある程度用意されることが好ましい。それ故、図示以外の色の廃棄ＰＥＴボトルも用意し、これを切断して小片とする。所望する色の廃棄ＰＥＴボトルが無いときは、透明な廃棄ＰＥＴボトルにスプレー等で着色をする。着色は切断前、切断後、何れでも構わない。
【００１３】
生成した各色の小片３Ｙ，３Ｇ，３Ｏは、容器４に収容し、小片の集合とする。絵画制作の際は、この容器４から所望の色の小片３Ｘを取出し、画用紙、キャンバス等に貼着し、各小片３Ｘを一つの画素として、所望の画像、線、模様等を形成する（符号Ｘは「何れかの色」の意）。用途は貼り絵に限らない。建造物の壁等に直に貼着して装飾にしても良い。所望の面にホワイトセメントや石膏などを塗り、これらに小片３Ｘを適宜埋め込んで画像等を形成しても良い。案内文字の形成などに使用しても良い。
【００１４】
廃棄されたＰＥＴボトルを一旦溶融してシートにし、これを鋏等で適宜の大きさに切り取って小片３Ｘを生成する。そして、これらを画用紙等に貼着し絵画を制作する等しても良い。
この場合、廃棄されたＰＥＴボトルが元々着色されているならば、これを単に溶融しシート化するだけで有色のシートが実現できる。所望の色の廃棄ＰＥＴボトルが入手出来ないときは、無色の廃棄ＰＥＴボトルに染料や顔料を溶融の際に添加し、所望色のシートを得る。
【００１５】
形成した各色のシートに、鋏、教科書を添付して、描画用セットとするのも良い。教科書にはお手本となる作品の写真や、貼り絵制作の手順等を記載する。
こうすれば、これら各シートを鋏等で適宜切断して種々の色の小片を生成し、教科書に示されているお手本や制作手順を参照して、それら種々の色の小片を画用紙やキャンバスに貼り画像を形成することが出来る。入門者でも容易に、新たな質感、美感等の絵画等を制作できる。
【図面の簡単な説明】
【００１６】
【図１】本発明の実施の形態の一例を示し、廃棄された各ＰＥＴボトル１Ｙ，１Ｇ，１Ｏから小片３Ｘの集合を生成する過程を示す。
【符号の説明】
【００１７】
１Ｙ，１Ｇ，１Ｏ…廃棄された各色のＰＥＴボトル
２…切断機
３Ｙ，３Ｇ，３Ｏ…各色の小片
４…容器
【図１】
2010131921.tif 000003